(57)【要約】【課題】固結力の強い固結性基礎材を用いて基礎を構築しても、埋設配管の軸方向への自由度を確保できる埋設配管の施工構造を提供することを目的としている。【解決手段】管本体の管端にカラーを外嵌して形成された一方の強化プラスチック複合管の受口に他方の強化プラスチック複合管の管端を挿入して連接されて、固結性基礎材中に埋設された埋設配管の施工構造において、前記カラー、および、連接される２つの強化プラスチック複合管のカラーの両端縁から管の許容抜け寸法以上の区間を、埋設部の周囲からかかる荷重によって変形して強化プラスチック複合管の周壁に完全に密着しない程度の強度を有し、筒状に形成された保護材で囲繞された状態で、強化プラスチック複合管の連接部が固結性基礎材中に埋設されていることを特徴としている。【選択図】      図１
2004286058.tif 000002
【特許請求の範囲】
【請求項１】
管本体の管端にカラーを外嵌して形成された一方の強化プラスチック複合管の受口に他方の強化プラスチック複合管の管端を挿入して連接されて、固結性基礎材中に埋設された埋設配管の施工構造において、前記カラー、および、連接される２つの強化プラスチック複合管のカラーの両端縁から管の許容抜け寸法以上の区間を、埋設部の周囲からかかる荷重によって変形して強化プラスチック複合管の周壁に完全に密着しない程度の強度を有し、筒状に形成された保護材で囲繞された状態で、強化プラスチック複合管の連接部が固結性基礎材中に埋設されていることを特徴とする埋設配管の施工構造。
【請求項２】
管本体の管端にカラーを外嵌して形成された一方の強化プラスチック複合管の受口に他方の強化プラスチック複合管の管端を挿入して連接されて、固結性基礎材中に埋設された埋設配管の施工構造において、連接される２つの強化プラスチック複合管のカラーの両端縁から管の許容抜け寸法以上の区間が、強化プラスチック複合管より座屈しやすい材質からなり、カラーの外周と略同じ外径が大径のリング状に形成された緩衝材で囲繞された状態で、強化プラスチック複合管の連接部が固結性基礎材中に埋設されていることを特徴とする埋設配管の施工構造。
【発明の詳細な説明】
【０００１】
【発明の属する技術分野】
本発明は、埋設配管の施工構造に関する。
【０００２】
【従来の技術】
その柔構造から埋設地盤の不同沈下等によって管体が破損しにくいため、ガラス繊維等の補強繊維で強化された繊維強化樹脂層と、樹脂モルタル層とが管の肉厚方向に積層されてなる強化プラスチック複合管（ＦＲＰＭ管）が、地下埋設管として好適に用いられている（特許文献１）。
また、図３に示すように、上記のような強化プラスチック複合管１は、管本体１１の一方の管端にカラー１２を外嵌して形成された受口１３に他の強化プラスチック複合管１の管本体１１の他端を挿入して連接され、基礎２中に埋設されるようになっている。
【０００３】
ところで、このような強化プラスチック複合管の埋設において、（１）深埋設、（２）重活荷重時等においては、一般的な素案、砕石基礎では、破損するので、基礎材としてソイルセメントやＨＭＳ（高炉スラグ）等の固結力の大きい固結性基礎材を用いている。
【０００４】
しかしながら、図３に示すように、カラー１２の部分が管本体１１の径より大きくなっているため、強化プラスチック複合管１と強化プラスチック複合管１との接合部においてカラー１２と管本体１１との間に段差が生じるため、上記のような固結性基礎材を用いた場合、基礎材が固化すると、カラー１２の軸方向の動きが基礎２によって規制されてしまう。
したがって、地盤挙動に対して埋設配管の軸方向の動かず、強化プラスチック複合管が破損したり、基礎に亀裂が生じたりする事故が起きる恐れがある。
なお、図３中、１４はゴム輪である。
【０００５】
【特許文献１】
特開平５−３２２０６９号公報
【０００６】
【発明が解決しようとする課題】
本発明は、上記事情に鑑みて、固結力の強い固結性基礎材を用いて基礎を構築しても、埋設配管の軸方向への自由度を確保できる埋設配管の施工構造を提供することを目的としている。
【０００７】
【課題を解決するための手段】
上記目的を達成するために、本発明の請求項１に記載の埋設配管の施工構造（以下、「請求項１の施工構造」と記す）は、管本体の管端にカラーを外嵌して形成された一方の強化プラスチック複合管の受口に他方の強化プラスチック複合管の管端を挿入して連接されて、固結性基礎材中に埋設された埋設配管の施工構造において、前記カラー、および、連接される２つの強化プラスチック複合管のカラーの両端縁から管の許容抜け寸法以上の区間を、埋設部の周囲からかかる荷重によって変形して強化プラスチック複合管の周壁に完全に密着しない程度の強度を有し、筒状に形成された保護材で囲繞された状態で、強化プラスチック複合管の連接部が固結性基礎材中に埋設されていることを特徴としている。
【０００８】
本発明の請求項２に記載の埋設配管の施工構造（以下、「請求項２の施工構造」と記す）は、管本体の管端にカラーを外嵌して形成された一方の強化プラスチック複合管の受口に他方の強化プラスチック複合管の管端を挿入して連接されて、固結性基礎材中に埋設された埋設配管の施工構造において、連接される２つの強化プラスチック複合管のカラーの両端縁から管の許容抜け寸法以上の区間が、強化プラスチック複合管より座屈しやすい材質からなり、カラーの外周と略同じ外径が大径のリング状に形成された緩衝材で囲繞された状態で、強化プラスチック複合管の連接部が固結性基礎材中に埋設されていることを特徴としている。
【０００９】
本発明において、固結性基礎材とは、特に限定されないが、ソイルセメントやＨＭＳが挙げられる。
【００１０】
請求項１の施工構造において、保護材は、施工時にシート状部材を筒状にして巻き付けて形成するようにしても構わないし、予め筒状に成形されたものをカラー部分に被せた状態にしておいても構わない。
保護材の材質は、埋設部の周囲からかかる荷重によって変形して強化プラスチック複合管の周壁に完全に密着しない程度の強度を有していれば、特に限定されないが、たとえば、１．０ｍｍ程度の厚みの塩化ビニルシート等が挙げられる。
【００１１】
請求項２の施工構造において、緩衝材としては、強化プラスチック複合管より座屈しやすい材質のものであるば、特に限定されないが、たとえば、発泡ポリスチレン、発泡ポリエチレン、発泡ポリウレタン等の樹脂発泡体が挙げられる。
【００１２】
【発明の実施の形態】
以下に、本発明を、その実施の形態をあらわす図面を参照しつつ詳しく説明する。
図１は、請求項１の施工構造に１つの実施の形態をあらわしている。
【００１３】
図１に示すように、この施工構造は、強化プラスチック複合管１が、一方の強化プラスチック複合管１の受口１３に他の強化プラスチック複合管１の管本体１１の管端を挿入して連接され、カラー１２の部分および２つの強化プラスチック複合管１のカラー１２の両端縁から管の許容抜け寸法以上の区間である１５ｃｍの部分が、１．０ｍｍのポリ塩化ビニルシートを巻き付けることによって形成された筒状の保護材３によって上方から覆われた状態にしたのち、埋設配管５の周りにソイルセメントやＨＭＳ等の固結性基礎材によって基礎２を形成している。
【００１４】
この施工構造によると、埋設配管５の強化プラスチック複合管１と強化プラスチック複合管１との連接部において、カラー１２の部分および２つの強化プラスチック複合管１のカラー１２の両端縁から管の許容抜け寸法以上の区間である１５ｃｍの部分が、１．０ｍｍのポリ塩化ビニルシートを巻き付けることによって形成された筒状の保護材３によって上方から覆われた状態になっているので、カラー１２の軸方向の両側に１５ｃｍ程度の移動自由空間が形成される。
したがって、基礎２が固結力の強い固結性基礎材によって形成されていても、埋設配管５の軸方向の動きが基礎２によって規制されず、自然的地盤沈下や地盤の変動が発生しても埋設配管５が破損したり、基礎２に亀裂等が発生したりする事故を防止できる。
【００１５】
図２は、請求項２の施工構造に１つの実施の形態をあらわしている。
図２に示すように、この施工構造は、強化プラスチック複合管１が、一方の強化プラスチック複合管１の受口１３に他の強化プラスチック複合管１の管本体１１の管端を挿入して連接され、２つの強化プラスチック複合管１のカラー１２の両端縁から管の許容抜け寸法以上の区間である１５ｃｍの管本体部分が、カラー１２と略同じ外径をした３０ｍｍ程度の肉厚をしていて、カラー１２より座屈しやすい発泡ポリスチレン製のリング状をした緩衝材４によって覆われた状態にしたのち、埋設配管５の周りにソイルセメントやＨＭＳ等の固結性基礎材によって基礎２を形成している。
【００１６】
この施工構造によると、埋設配管５の強化プラスチック複合管１と強化プラスチック複合管１との連接部において、２つの強化プラスチック複合管１のカラー１２の両端縁から管の許容抜け寸法以上の区間である１５ｃｍの部分が、カラー１２より座屈しやすい発泡ポリスチレン製のリング状をした緩衝材４によって覆われた状態になっているので、基礎２が固結力の強い固結性基礎材によって形成されていても、埋設配管５の軸方向の動きが基礎２によって規制されない。すなわち、埋設配管５が軸方向に動こうとすると、緩衝材４がカラー１２によって軸方向に押され、その圧力によって座屈する。したがって、カラー１２の軸方向の両側に１５ｃｍ程度の移動自由空間が形成され、基礎２が固結力の強い固結性基礎材によって形成されていても、埋設配管５の軸方向の動きが基礎２によって規制されず、自然的地盤沈下や地盤の変動が発生しても埋設配管５が破損したり、基礎２に亀裂等が発生したりする事故を防止できる。
【００１７】
【発明の効果】
本発明にかかる埋設配管の施工構造は、以上のように構成されているので、固結力の強い固結性基礎材を用いて基礎を構築しても、埋設配管の軸方向への自由度を確保できる。したがって、自然的地盤沈下や地盤の変動が発生しても埋設配管が破損したり、基礎に亀裂等が発生したりする事故を防止できる。
【図面の簡単な説明】
【図１】請求項１の施工構造の１つの実施の形態をあらわす半断面図である。
【図２】請求項２の施工構造の１つの実施の形態をあらわす半断面図である。
【図３】従来の施工構造をあらわす半断面図である。
【符号の説明】
１  強化プラスチイク複合管
１１  管本体
１２  カラー
１３  受口
２  基礎
３  保護材
４  緩衝材
５  埋設配管
【図１】
2004286058.tif 000003
【図２】
2004286058.tif 000004
【図３】
2004286058.tif 000005